(57)【特許請求の範囲】
【請求項１】
精米機の精白米排出口に回動支杆を介して抵抗板を設け、
前記回動支杆の他端には平板帯状のバネ板を接続し、
前記バネ板を回動自在の抵抗調節カムにより押圧して、
抵抗板を精白米排出口に対し強弱調節可能に圧迫すると共に、
前記抵抗調節カムを抵抗調節軸に沿って上下に位置変更可能に設けてなる精米機の抵抗装置。
【請求項２】
前記バネ板を着脱自在に取付けることを特徴とする請求項１記載の精米機の抵抗装置。
【発明の詳細な説明】
【０００１】
【発明の属する技術分野】
本発明は、精米機の抵抗装置の改良に関する。
【０００２】
【従来の技術】
従来の精米機の抵抗装置は、図６に示すように、精白米排出口（図では回動支杆１５ａの影に入る）の前方に一定間隔をあけて回動支杆１５ａを設ける。
回動支杆１５ａは、その上端を精白米排出口の上方に折曲げて精白米排出口の上方を覆い、その先端を上方に立ち上げてコイルバネ引掛け部２９を形成し、折曲げ部３０で壁面１８に回転自在に軸支する。回動支杆１５ａには精白米排出口に対向して抵抗板１３を取付ける。
壁面１８の精白米排出口から離れた一側上端に調節軸取付面１８ｃを設け、調節軸取付面１８ｃの一側上端に前方に水平に突出する支持板３１を設け、支持板３１の上に抵抗調節バー３２の一端を水平に旋回自在に軸支する。
抵抗調節バー３２の先端にはバネ引掛け孔３３ａ、３３ｂ、３３ｃを設け、コイルバネ引掛け部２９とバネ引掛け孔３３ａの間にコイル引張バネ３５を引掛ける。バネ引掛け孔３３ａ、３３ｂ、３３ｃはその位置で、コイル引張バネ３５の引張り強さを、それぞれ「強」、「中」、「弱」の３段階に設定する。
抵抗調節バー３２のほぼ中央下方に回転軸受３４を懸垂ピン３６により回転自在に取付け、回転軸受３４にはその内側に雌ネジを形成する。ついで抵抗調節軸２１ａには回転軸受３４の雌ネジに合せて雄ネジを形成し、その一端を壁面１８の調節軸取付孔１９に回転自在に保持する。
この状態で、抵抗調節軸２１をハンドル２７ａにより回転することにより、抵抗調節バー３２を旋回して、「強」、「中」、「弱」のそれぞれの段階でコイル引張バネ３５の伸びを連続的に調整して精白米排出口に対する抵抗板１３の圧接を調整して精白米度を調整する。
このように、コイル引張バネ３５またはコイル圧縮バネを用いて抵抗調節する方法が用いられているが、コイル引張バネ３５では基本的に初張力が必要で、弱抵抗範囲では初張力に限界があり、弱抵抗範囲での調節はできなかった。
また、コイル圧縮バネでは一つのコイル圧縮バネで抵抗装置を弱抵抗と強抵抗に調節することは困難で、弱抵抗を主とすると強抵抗が不可能で、逆に強抵抗を主とすると弱抵抗が不可能になっていた。
この問題の対応として、弱いバネと強いバネを組合わせた抵抗装置（特公昭３５−１６９６４号）が提供されているが、この抵抗装置では、弱いコイル圧縮バネの内側に自由長の短い強いコイル圧縮バネを挿入して一体に保持し、弱抵抗の場合は弱いコイル圧縮バネで、強抵抗の場合はさらに強いコイル圧縮バネを加えて圧接することにより、強抵抗範囲と弱抵抗範囲をカバーするようにしている。しかし、この場合も、弱抵抗から強抵抗に至るまでに区切れがあり、そのため抵抗に段差を生じて不連続になり抵抗装置の調節に支障があった。
【０００３】
【発明が解決しようとする課題】
本発明では、弱抵抗から強抵抗にいたる間に自在に調節できる抵抗装置を提供することを目的とする。
【０００４】
【課題を解決するための手段】
本発明では精米機の精白米排出口に回動支杆を介して抵抗板をのぞませ、回動支杆の他端には平板帯状のバネ板を接続し、バネ板を抵抗調節軸に固定した抵抗調節カムにより押圧して、抵抗板を精白米排出口に強弱調節可能に圧迫する。
また、抵抗調節カムを抵抗調節軸に沿って上下に位置変更可能に設ける。
前記バネ板を着脱自在に取付けてもよい。
【０００５】
【発明の実施の形態】
本発明の実施の形態を添付図面を参照して説明する。
図１は精米機の断面図で、図２は本発明の第１の抵抗装置の詳細を示す斜視図である。
精米機１の上部に漏斗状の精米機タンク２を配置し、精米機タンク２の底部排出口３を送穀室４に連通する。５は送穀室４に連なる搗精室で、精白ロール６とその外周の精白筒７により囲まれた空間が、これに相当する。
８は精白ロール６の基端部に形成した送穀螺旋である。精白ロール６の一端を電動機９の回転軸１０に直結する。搗精室５の下面は金網により形成され、搗精室５の下方には着脱自在に集糠タンク１１を配置する。
搗精室５の終端部を、中央に精白米排出口１２を設けた壁面１８で仕切り、精白米排出口１２の外側には、抵抗板１３を設ける。壁面１８から斜め下方に向けて精白米排出口１２の下側を白米取出し口１４で樋状に囲み、精白米排出口１２から排出した精白米を機外に取り出す。
【０００６】
白米取出し口１４の左右側壁の間に、回動支杆１５を回動自在に軸支する。回動支杆１５の下部正面には、精白米排出口１２に対向して抵抗板１３を取付け、回動支杆１５の上部には平板帯状のバネ板１７を取付けて、その先端を上方に突出する。
図３および図４に斜視図で示すように、回動支杆１５の中央部と上端部に、プレスにより押切ってコ字形のバンド３７ａ、３７ｂを平行に形成し、バンド３７ａ、３７ｂの中間に、突出し３８または突出タップ３９を形成する。
回動支杆１５の上方からバネ板１７をバンド３７ａ、３７ｂに通して保持し、バネ板１７に設けた取付孔４０に突出し３８を嵌入するか、または取付ネジ４１により突出タップ３９に固定して一体に形成する。
このように、バネ板１７の組み付けが容易にできることから、玄米の状態特に乾燥度、精白米度の要求に応じて、比較的簡単にバネ板１７等の交換を行い、最適な精米を供給することができる。
【０００７】
壁面１８の上端を後方に折曲げて調節軸取付面１８ａを形成し、その中央に調節軸取付孔１９を設け、調節軸取付孔１９の上面に位置決め座金２０を同心状に固定する。位置決め座金２０は上に開いた皿形をなし、皿形の上縁を波型に形成して、その底面を調節軸取付面１８ａに熔接等により一体に固定する。
ついで、抵抗調節軸２１を調節軸取付面１８ａの調節軸取付孔１９に挿通し、位置決め座金２０の上方で抵抗調節軸２１に直角に位置決めピン２２を立設して支持し、抵抗調節軸２１の下端にはＥ型止め輪４３を挟持する溝を形成し、抵抗調節軸２１の下端からブレーキバネ２３を挿入し、その下方を平座金を介してＥ型止め輪４３により支持して抵抗調節軸２１を下方に付勢する。
この状態で位置決めピン２２は位置決め座金２０に噛合して、抵抗調節軸２１を垂直に支持する。
抵抗調節軸２１の上方に、バネ板１７の上端に対向して抵抗調節カム２４を水平に配置し、抵抗調節カム２４にはその下方に取付ボス１６を一体に形成し、取付ボス１６を取付ネジ４１ａにより抵抗調節軸２１に上下移動自在に固定し、抵抗調節軸２１の上端を筐体２５の抵抗調節パネル部２６を通して機外に突出し、その上端にはハンドル２７を取付ける。
抵抗調節カム２４はその外縁を反時計回りに外周が拡がるように螺旋状に形成し、その最大外周部に外側に突出するストッパ２８を形成する。これにより、対向するバネ板１７の先端部が抵抗調節カム２４から脱落しないようにする。
【０００８】
この状態で、ハンドル２７を回転するとバネ板１７の先端部は、抵抗調節カム２４に沿ってその先端を押出され、白米取出し口１４に設けた支点により回動支杆１５を回転し、抵抗調節カム２４の回転位置に対応して回動支杆１５に取付けた抵抗板１３を精白米排出口１２に圧迫する。
ハンドル２７の回転は、ブレーキバネ２３により位置決め座金２０に位置決めピン２２を押付けて、その係合により固定されその状態に保つ。
【０００９】
図５は抵抗装置の第２の実施例を示す斜視図で、精白米排出口１２の前方からハンドル２７を操作するようにした実施例である。
精白米排出口１２を設けた壁面１８の上端を後方に折曲げ、さらに上方に立上げて垂直に調節軸取付面１８ｂを形成する。調節軸取付面１８ｂには、精白米排出口１２から一定間隔をずらして調節軸取付孔１９を設け、調節軸取付孔１９に抵抗調節軸２１を挿入して水平に軸支する。
抵抗調節軸２１の基部に同心に、有底円筒状の抵抗調節カム２４ａを一体に形成し、その先端にハンドル２７を取付ける。
抵抗調節カム２４ａはその円筒部分を、底面から円周に沿ってその高さを徐々に増すようにしてカム形状を形成し、このカム形状に波型の凹凸を施す。
第１の実施例と同様に、精白米排出口１２を樋状に囲んで前方に白米取出し口１４を取付け、白米取出し口１４の左右側壁に回動支杆１５を回動自在に軸支する。回動支杆１５の下部には精白米排出口１２に対向して抵抗板１３を取付け、回動支杆１５の上部には平板帯状のバネ板１７ａを取付けてその先端を上方に突出する。バネ板１７ａの上端を断面Ｖ字状に折曲げて後方に突出して接触端４２を形成し、その接触端４２を抵抗調節カム２４ａに押付ける。
抵抗調節カム２４ａの回転により、カム形状に従ってその接触端４２を前後方向に移動し、バネ板１７ａを介して回動支杆１５を回転して、抵抗板１３を所定の押圧で精白米排出口１２に圧迫ける。
抵抗調節カム２４ａの波型の凹凸は、バネ板１７ａの接触端４２の滑りを防止して、ハンドル２７による設定値からずれないように保持する。
【００１０】
以上、本発明の抵抗装置では、抵抗板１３に加えられる押圧力はバネ板１７のたわみに比例して、例えばたわみ０位置から順次増大して１０位置まで増大すると、その押圧力も０から１０まで直線的に増加する。最大負荷時のたわみを１０としたバネ板１７を使用すると、表１に示すように、抵抗板１３の押圧力は０から１０まで無段階に連続して増加できる。
【表１】
0003663305.tif 000002
一般に平板バネの特性は負荷が支点から負荷位置までの距離Ｌの３乗に比例するので、抵抗調節カム２４の抵抗調節軸２１に取付ける位置を、上下に移動することにより抵抗板１３に加えられる押圧力は、段階的にその基準値を変えることができ、大きな調整巾を採ることができる。
表１に示すように、負荷とたわみは直線的に比例するので、負荷（この場合抵抗板１３の押圧力）に合わせてバネ板１７の特性を自在に選択できる。
以上のように、精米機の搗精度に合わせ、例えば３分搗を０．１ｋｇｆ、５分搗を０．２ｋｇｆ、７分搗を０．３ｋｇｆ、白米を０．４ｋｇｆ等に設定して、精度の高い精白度調節を行うことができる。
また、バネ板１７を着脱自在に取付けることにより、精白米度の調整や、精米時間の短縮等の要求に対して、バネ板１７のバネ定数を選択して交換することにより、広い範囲に亘ってその精白米度やその精米時間を設定することができる。
【００１１】
【発明の効果】
本発明では、平板帯状のバネ板を回動支杆の先端に固定して、その先端を抵抗調節カムにより押圧し、回動支杆を介して抵抗板を精白米排出口に押圧することにより、バネ板のたわみに比例して抵抗板に加わる押圧を連続して可変することができる。また、抵抗調節カムを抵抗調節軸に沿って上下に位置変更可能に設けることにより、抵抗板に加えられる押圧力を、段階的にその基準値を変えることができる。
また、バネ板を着脱自在に取付け、必要に応じてバネ板を交換することにより、精米機の精白度調節を容易にすることができる。
【図面の簡単な説明】
【図１】本発明の精米機の全体側面図である。
【図２】本発明の抵抗装置の全体斜視図である。
【図３】バネ板の取付方法を示す斜視図である。
【図４】他のバネ板の取付方法を示す斜視図である。
【図５】本発明の抵抗装置の他の実施例を示す斜視図である。
【図６】従来の抵抗装置の詳細を示す斜視図である。
【符号の説明】
１  精米機
２  精米機タンク
３  底部排出口
４  送穀室
５  搗精室
６  精白ロール
７  精白筒
８  送穀螺旋
９  電動機
１０  回転軸
１１  集糠タンク
１２  精白米排出口
１３  抵抗板
１４  白米取出し口
１５、１５ａ  回動支杆
１６  取付ボス
１７  バネ板
１８  壁面
１８ａ、１８ｂ、１８ｃ  調節軸取付面
１９  調節軸取付孔
２０  位置決め座金
２１、２１ａ  抵抗調節軸
２２  位置決めピン
２３  ブレーキバネ
２４  抵抗調節カム
２５  筐体
２６  抵抗調節パネル部
２７、２７ａ  ハンドル
２８  ストッパ
２９  コイルバネ引掛け部
３０  折曲げ部
３１  支持板
３２  抵抗調節バー
３３  バネ引掛け孔
３４  回転軸受
３５  コイル引張バネ
３６  懸垂ピン
３７ａ、３７ｂ  バンド
３８  突出し
３９  突出タップ
４０  取付孔
４１  取付ネジ
４２  接触端
４３  Ｅ型止め輪
【図１】
0003663305.tif 000003
【図２】
0003663305.tif 000004
【図３】
0003663305.tif 000005
【図４】
0003663305.tif 000006
【図５】
0003663305.tif 000007
【図６】
0003663305.tif 000008